(57)【特許請求の範囲】
【請求項１】
描画による画像を含むオブジェクトが表示される表示面を備える複数の表示装置と、該表示面上に前記描画に係る位置指定を行う位置指定装置とを含む表示システムにおいて、
一の表示装置は、
前記表示面に対する前記オブジェクトの表示の割合を示す使用率が閾値以上である場合、前記位置指定の受け付けが制限された待機状態から、前記位置指定装置の接近によって前記位置指定の受け付けが可能な位置指定待機状態に遷移する遷移指示を他の表示装置に送信する指示送信部とを備えており、
前記他の表示装置は、
前記遷移指示を受け付けた場合、前記位置指定を受け付けることが可能な位置指定待機状態に遷移させる状態遷移部を備えることを特徴とする表示システム。
【請求項２】
前記一の表示装置は、
前記指示送信部による前記遷移指示の送信後、現在の自装置及び前記位置指定装置の間の設定情報を、前記他の表示装置に送信する設定情報送信部を備えることを特徴とする請求項１に記載の表示システム。
【請求項３】
前記他の表示装置は複数であり、
該他の表示装置を所定の順序に対応付けて記憶している記憶部を備え、
前記指示送信部は、前記順序に基づいて、前記遷移指示の送信を行うことを特徴とする請求項１又は２に記載の表示システム。
【請求項４】
前記他の表示装置は複数であり、
前記指示送信部は、前記他の表示装置の位置に基づく順序に応じて前記遷移指示の送信を行うことを特徴とする請求項１又は３に記載の表示システム。
【請求項５】
前記他の表示装置は複数であり、
前記指示送信部は、前記他の表示装置に対して共に前記遷移指示の送信を行うことを特徴とする請求項１又は３に記載の表示システム。
【請求項６】
前記指示送信部による前記遷移指示の送信後、前記他の表示装置の表示面及び前記位置指定装置間の距離に応じて、前記設定情報送信部は前記設定情報の送信を行うことを特徴とする請求項２に記載の表示システム。
【請求項７】
前記指示送信部による前記遷移指示の送信後、前記一の表示装置の表示面及び前記位置指定装置間の距離に応じて、前記設定情報送信部は前記設定情報の送信を行うことを特徴とする請求項２に記載の表示システム。
【請求項８】
前記使用率を算出する使用率算出部を備え、
前記表示面上の位置はＸ軸の座標及びＹ軸の座標により定められ、
前記表示面に係る前記Ｘ軸及び前記Ｙ軸の最小及び最大座標と、複数のオブジェクトに係るＸ座標及びＹ座標のうち最小のＸ座標及びＹ座標並びに最大のＸ座標及びＹ座標とに基づいて、前記使用率算出部は前記使用率を算出することを特徴とする請求項１から７の何れかに記載の表示システム。
【請求項９】
前記使用率を算出する使用率算出部を備え、
前記表示面上の位置はＸ軸の座標及びＹ軸の座標により定められ、
等間隔の前記Ｘ軸の座標及び前記Ｙ軸の座標が、前記オブジェクトに係る座標と重複する数に基づいて、前記使用率算出部は前記使用率を算出することを特徴とする請求項１から７の何れかに記載の表示システム。
【請求項１０】
前記他の表示装置は、前記位置指定待機状態では画像表示を行わないように構成されていることを特徴とする請求項１から９の何れかに記載の表示システム。
【請求項１１】
描画による画像を含むオブジェクトが表示される表示面を備える複数の表示装置と、該表示面上に前記描画に係る位置指定を行う位置指定装置とを含む表示システムにおける、一の表示装置を構成するコンピュータに実行させるコンピュータプログラムにおいて、
コンピュータに、
前記表示面に対する前記オブジェクトの表示の割合を示す使用率を算出し、
算出された使用率が閾値以上である場合、前記位置指定の受け付けが制限された待機状態から、前記位置指定装置の接近によって前記位置指定の受け付けが可能な位置指定待機状態に遷移する遷移指示を他の表示装置に送信する
処理を実行させることを特徴とするコンピュータプログラム。
【請求項１２】
請求項１１に記載のコンピュータプログラムを記録してあることを特徴とするコンピュータでの読み取りが可能な記録媒体。
【発明の詳細な説明】
【技術分野】
【０００１】
本発明は、描画による画像を含むオブジェクトが表示される表示面を備える複数の表示装置と、該表示面上に前記描画に係る位置指定を行う位置指定装置とを含む表示システム、該表示システムに係るコンピュータプログラム、並びに該コンピュータプログラムが記録された記録媒体に関する。
【背景技術】
【０００２】
近年、表示面の縦方向に並んでいる複数の受光素子に対応して横方向に並んでいる複数の受光素子の各々の受光量に基づいて、表示面に接触する遮光物の位置を検出することにより、表示面に描画を行うことのできる、いわゆる電子黒板装置が広く普及している。
【０００３】
例えば、特許文献１には、表示面の全域のうち、ある遮光物による位置指定の入力を許可する描画領域を、別の遮光物の位置と前記縦方向にて重複せず且つ前記横方向にて重複しないような範囲に制限する事を示す表示を行う電子黒板装置が開示されている。
【先行技術文献】
【特許文献】
【０００４】
【特許文献１】特開２０１３−１１９９７号公報
【発明の概要】
【発明が解決しようとする課題】
【０００５】
一方、会議、授業にて、複数の電子黒板装置が使われる場合においては、最初、ユーザが入力ペン等にて一の電子黒板装置だけに描画を行っていたが、該一の電子黒板装置の表示面に描画のスペースがなく、隣にある他の電子黒板装置も使って描画を行う必要性が発生する場合もある。
【０００６】
このような場合、ユーザは、斯かる描画を中断し、他の電子黒板装置を起動させ、かつ、描画に係る処理（以下、描画処理）ができるような状態にする操作を行う必要があり、更には、他の電子黒板装置が描画処理のできる状態になるまで待たないといけないという問題がある。
【０００７】
また、他の電子黒板装置が描画処理のできる状態になったとしても、該他の電子黒板装置にて、先の一の電子黒板装置と同一属性の描画図を表示させるためには、該一の電子黒板装置及び入力ペン間の設定情報を他の電子黒板装置が取得する必要があり、ユーザにとっては更に時間及び手間が掛かる。
【０００８】
しかし、特許文献１に係る電子黒板装置はこのような問題に対して考慮しておらず、対応できない。
【０００９】
本発明は、斯かる事情に鑑みてなされたものであり、その目的とするところは、描画による画像を含むオブジェクトが表示される表示面を備える複数の表示装置と、該表示面上に前記描画に係る位置指定を行う位置指定装置とを含む表示システムにおいて、一の表示装置は、前記表示面に対する前記オブジェクト表示の割合を示す使用率を算出し、算出された使用率に基づいて、特定の待機状態に遷移する遷移指示を他の表示装置に送信し、前記他の表示装置は、前記遷移指示を受け付けた場合、前記位置指定を受け付けることが可能な位置指定待機状態に遷移することにより、ユーザが他の表示装置を使用するために行うべき操作を省くことができると共に、他の表示装置が使用できる状態になるまでにユーザを待たせることを未然に防止できる表示システム、コンピュータプログラム、及び、該コンピュータプログラムが記録された記録媒体を提供することにある。
【課題を解決するための手段】
【００１０】
本発明に係る表示システムは、描画による画像を含むオブジェクトが表示される表示面を備える複数の表示装置と、該表示面上に前記描画に係る位置指定を行う位置指定装置とを含む表示システムにおいて、一の表示装置は、前記表示面に対する前記オブジェクト表示の割合を示す使用率を算出する使用率算出部と、算出された使用率に基づいて、特定の待機状態に遷移する遷移指示を他の表示装置に送信する指示送信部とを備えており、前記他の表示装置は、前記遷移指示を受け付けた場合、前記位置指定を受け付けることが可能な位置指定待機状態に遷移させる状態遷移部を備えることを特徴とする。
【００１１】
本発明に係る表示システムは、前記一の表示装置は、前記指示送信部による前記遷移指示の送信後、現在の自装置及び前記位置指定装置の間の設定情報を、前記他の表示装置に送信する設定情報送信部を備えることを特徴とする。
【００１２】
本発明に係る表示システムは、前記他の表示装置は複数であり、該他の表示装置を所定の順序に対応付けて記憶している記憶部を備え、前記指示送信部は、前記順序に基づいて、前記遷移指示の送信を行うことを特徴とする。
【００１３】
本発明に係る表示システムは、前記他の表示装置は複数であり、前記指示送信部は、前記他の表示装置の位置に基づく順序に応じて前記遷移指示の送信を行うことを特徴とする。
【００１４】
本発明に係る表示システムは、前記他の表示装置は複数であり、前記指示送信部は、前記他の表示装置に対して共に前記遷移指示の送信を行うことを特徴とする。
【００１５】
本発明に係る表示システムは、前記指示送信部による前記遷移指示の送信後、前記他の表示装置の表示面及び前記位置指定装置間の距離に応じて、前記設定情報送信部は前記設定情報の送信を行うことを特徴とする。
【００１６】
本発明に係る表示システムは、前記指示送信部による前記遷移指示の送信後、前記一の表示装置の表示面及び前記位置指定装置間の距離に応じて、前記設定情報送信部は前記設定情報の送信を行うことを特徴とする。
【００１７】
本発明に係る表示システムは、前記表示面上の位置はＸ軸の座標及びＹ軸の座標により定められ、前記使用率算出部は、前記Ｘ軸及び前記Ｙ軸夫々における、前記表示面上の余白に基づいて、前記使用率を算出することを特徴とする。
【００１８】
本発明に係る表示システムは、前記表示面上の位置はＸ軸の座標及びＹ軸の座標により定められ、前記使用率算出部は、前記Ｘ軸及び前記Ｙ軸における座標が前記オブジェクトに係る座標と重複するか否かに基づいて前記使用率を算出することを特徴とする。
【００１９】
本発明に係る表示システムは、前記他の表示装置は、前記位置指定待機状態では画像表示を行わないように構成されていることを特徴とする。
【００２０】
本発明に係るコンピュータプログラムは、描画による画像を含むオブジェクトが表示される表示面を備える複数の表示装置と、該表示面上に前記描画に係る位置指定を行う位置指定装置とを含む表示システムにおける、一の表示装置を構成するコンピュータに実行させるコンピュータプログラムにおいて、コンピュータに、前記表示面に対する前記オブジェクト表示の割合を示す使用率を算出し、算出された使用率に基づいて、特定の待機状態に遷移する遷移指示を他の表示装置に送信する処理を実行させることを特徴とする。
【００２１】
本発明に係る記録媒体は、前述の発明のコンピュータプログラムを記録してあることを特徴とする。
【発明の効果】
【００２２】
本発明によれば、一の表示装置にて描画を行っていたユーザが、他の表示装置にて描画を続ける場合、該他の表示装置を使用するために行うべき操作を省くことができると共に、該他の表示装置での描画ができる状態になるまでにユーザを待たせることを未然に防止できる。
【図面の簡単な説明】
【００２３】
【図１】本発明の実施の形態１に係る表示システムを概念的に表示した概念図である。
【図２】本発明の実施の形態１の電子黒板装置の要部構成を示す機能ブロック図である。
【図３】本発明の実施の形態１の電子黒板装置における、制御部の要部構成を示す機能ブロック図である。
【図４】本発明の実施の形態１の電子黒板装置において、ユーザによる描画が行われた場合を例示する例示図である。
【図５】本発明の実施の形態１の電子黒板装置において、表示面の余白を用いて使用率を算出する方法を説明するフローチャートである。
【図６】本発明の実施の形態１の電子黒板装置において、表示面の使用率を算出する他の方法を説明するフローチャートである。
【図７】本発明の実施の形態１の電子黒板装置において、表示面の使用率を算出する他の方法を説明するフローチャートである。
【図８】本発明の実施の形態１の電子黒板装置において、ユーザによる描画が行われた場合を例示する例示図である。
【図９】本発明の実施の形態１の電子黒板装置において、表示面の使用率を算出する他の方法を説明するフローチャートである。
【図１０】本発明の実施の形態１に係る電子黒板装置のタッチパネル部における、光の走査の処理を説明する機能ブロック図である。
【図１１】本発明の実施の形態１の電子黒板装置における、走査及び遮光物との接触（接近）位置の検出を説明する説明図である。
【図１２】本発明の実施の形態１に係るペン型入力器の要部構成を示す機能ブロック図である。
【図１３】本発明の実施の形態１に係る表示システムにおける、描画機能を説明するフローチャートである。
【図１４】本発明の実施の形態１の電子黒板装置において、記憶部に格納されている装置管理テーブルを概念的に示す例示図である。
【図１５】本発明の実施の形態２に係る表示システムにおける、描画機能を説明するフローチャートである。
【図１６】本発明の実施の形態２に係る表示システムにおいて、一の電子黒板装置における使用率が閾値以上である場合の処理を説明する説明図である。
【図１７】本発明の実施の形態２に係る表示システムにおいて、一の電子黒板装置における使用率が閾値以上である場合の処理を時系列に示した図である。
【図１８】本発明の実施の形態３に係る表示システムにおいて、一の電子黒板装置における使用率が閾値以上である場合の処理を説明する説明図である。
【図１９】本発明の実施の形態４の表示システムにおける、電子黒板装置の要部構成を示す機能ブロック図である。
【発明を実施するための形態】
【００２４】
以下に、本発明の実施の形態に係る表示システムにおける、位置指定装置及び表示装置を、ペン型入力器と、該ペン型入力器を備えたタッチパネル装置とに夫々適用した場合を例として、図面に基づいて詳述する。また、タッチパネル装置としては、いわゆる電子黒板装置を例にあげて説明する。
【００２５】
（実施の形態１）
図１は本発明の実施の形態１に係る表示システムを概念的に表示した概念図である。本発明の実施の形態１に係る表示システム１０は、複数の電子黒板装置１００〜４００及びペン型入力器５００（位置指定装置）を有している。本発明に係る表示システム１０においては、ペン型入力器５００からの描画に係る位置指定に応じて、電子黒板装置１００〜４００に線図等の描画の処理が行なわれる。前記線図等以外にも、電子黒板装置１００〜４００には、文字、画像等をインポートして表示することも可能である。
【００２６】
また、ペン型入力器５００は、電子黒板装置１００〜４００の何れに対しても、同一の属性を有する線図の描画ができるように構成されている。
【００２７】
電子黒板１００の構成は、他の電子黒板装置２００〜４００の構成と同一である。従って、以下においては、電子黒板装置１００及びペン型入力器５００の構成についてのみ説明する。
【００２８】
図２は本発明の実施の形態１の電子黒板装置１００の要部構成を示す機能ブロック図である。
【００２９】
本発明の実施の形態１の電子黒板装置１００は、赤外線を発光する発光素子及び赤外線を受光する受光素子を備え、遮光物の位置を検出する、いわゆる赤外線遮断式タッチパネル部１００Ｂと、タッチパネル部１００Ｂの動作を制御するタッチパネルコントローラ部（図２中、点線によって囲まれている部分）を備えている。
【００３０】
また、電子黒板１００は、公知の描画処理によって線図が表示される表示面１０１を有する表示部１００Ａを更に備えている。
【００３１】
電子黒板装置１００は制御部１、ＲＯＭ２及びＲＡＭ３を備えている。また、電子黒板装置１００は、後述する各種テーブルが記憶されている記憶部４と、ペン型入力器５００又は他の電子黒板装置と通信を行う通信部５とを備えている。
【００３２】
更に、電子黒板装置１００は、表示面１０１への文字、図形、線画、画像等のオブジェクトの表示を制御する表示制御部８を備えており、後述する走査部９による走査結果に基づいてユーザから表示面１０１上の位置指定、文字、線画等の入力を受け付ける。
【００３３】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部４には後述する装置管理テーブル、使用率との比較に用いられる閾値等が記憶される。
【００３４】
通信部５はペン型入力器５００から描画に係るデータ（以下、描画データ）等を受信する。通信部５はペン型入力器５００と、例えば、Ｂｌｕｅｔｏｏｔｈ（登録商標）、ＺｉｇＢｅｅ（登録商標）等の無線通信を行なうように構成されている。また、これに限るものでなく、有線通信であっても良い。
【００３５】
表示部１００Ａにおいて、表示面１０１は例えばＬＣＤ又はＥＬ（Electroluminescence）パネル等からなり、表示部１００Ａにはタッチパネル部１００Ｂを介してユーザから受け付ける文字、線画等が表示される。また、表示部１００Ａの表示面１０１を覆うようにタッチパネル部１００Ｂが設けられている。
【００３６】
表示制御部８は、例えば、ＤＳＰ（Digital Signal Processor）のようなプロセッサにより構成され、表示部１００Ａへの画像表示を制御する。制御部１は、走査部９による走査結果に係る座標に基づき、文字、線画等の表示を指示し、表示制御部８は、これに応じて表示部１００Ａに文字、線画等を表示させる。
【００３７】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００３８】
制御部１は、ＲＯＭ２に予め格納されている制御プログラムをＲＡＭ３上にロードして実行することによって、バスを介して上述した各種ハードウェアの制御を行い、前記座標履歴を作成し、また、装置全体を本発明の電子黒板装置１００として動作させる。
【００３９】
図３は本発明の実施の形態１の電子黒板装置１００における、制御部１の要部構成を示す機能ブロック図である。制御部１は、ＣＰＵ１１と、座標検出部１２と、遮光物管理部１３と、使用率算出部１４と、指示送信部１５と、状態遷移部１６と、設定情報送信部１７とを備えている。
【００４０】
座標検出部１２は、ペン型入力器５００のような遮光物の表示部１００Ａの表示面１０１上の座標を検出する。詳しくは、タッチパネル部１００Ｂによって、表示部１００Ａの表示面１０１上の光遮断が検出された場合に送られる、後述する強度信号に基づき、斯かる遮光物の座標を検出する。
【００４１】
遮光物管理部１３は、走査部９の走査によって検出される遮光物の位置（座標）を管理する。例えば、遮光物管理部１３は、斯かる遮光物が移動する場合、遮光物の移動跡を表す座標履歴を記憶する。
【００４２】
使用率算出部１４は、表示面１０１の全表示領域のうち、オブジェクトが表示された領域の割合を示す使用率を算出する。例えば、電子黒板装置１００でユーザが描画を行う際、電子黒板装置１００の表示面１０１の全表示領域のうち、ユーザの描画によって表示された線図等のオブジェクトにより占められた領域の割合を前記使用率として算出する。
【００４３】
使用率算出部１４による使用率算出の具体的例としては、表示部１００Ａの表示面１０１のＸ軸及びＹ軸夫々における、表示面１０１上の余白に基づいて、前記使用率を算出する方法がある。以下、詳しく説明する。
【００４４】
図４は本発明の実施の形態１の電子黒板装置１００において、ユーザによる描画が行われた場合を例示する例示図である。
【００４５】
表示面１０１上の位置（座標）が(x,y)=(０,０)-(xmax,ymax)で表される。表示面１０１上で描画によって描画図が表示されている領域が、図４に示すように、記載領域１〜６の６つあり、記載領域１から書かれた順番に、記載領域２、記載領域３、…とされるものとする。各記載領域はその左上、即ちＸ座標、Ｙ座標の最少値を始点、右下、即ちＸ座標、Ｙ座標の最大値を終点とし、始点と終点を対角とする四角形の範囲を記載領域とする。
【００４６】
すなわち、記載領域１が（x１,y１）-（x３,y３）、記載領域２が（x２,y６）-（x４,y７）、記載領域３が（x２,y９）-（x３,y１１）、記載領域４が（x６,y２）-（x７,y４）、記載領域５が（x５,y５）-（x８,y８）、記載領域６が（x６,y１０）-（x７,y１２）によって画定される。
【００４７】
もっとも簡単な方法の一つとして余白を、描画図に使用した領域と画面上下左右端との間隔で判断する方法がある。図５は本発明の実施の形態１の電子黒板装置１００において、表示面１０１の余白を用いて使用率を算出する方法を説明するフローチャートである。
【００４８】
まず、使用率算出部１４は全ての記載領域の数（ＤＭ）を取得する（ステップＳ１０１）。使用率算出部１４は全ての記載領域の数を数えることにより、ＤＭを取得することが出来る。すなわち、ＤＭは「６」である。
【００４９】
例えば、ユーザがペン型入力器５００を用いて描画を行い、ペン型入力器５００を表示面１０１から離した場合、当該記載領域が確定され、ＤＭは変更し、使用率算出部１４は使用率の算出を開始する。
【００５０】
次いで、使用率算出部１４は、記載領域１〜６において、Ｘ座標とＹ座標の夫々で最小値及び最大値を求める。即ち、全記載領域のＸ座標及びＹ座標の中からＸ座標の最少値及び最大値、Ｙ座標の中からＹ座標の最少値及び最大値を求める。
【００５１】
この際、記載領域のＸ座標の最も小さいＸ座標をXbmin、最も大きいＸ座標をXbmax、Ｙ座標の最も小さいＹ座標をYbmin、最も大きいＹ座標をYbmaxとし、Ｘ軸の最大座標及び最小座標を夫々Xmax及び０とし、Ｙ軸の最大座標及び最小座標を夫々Ymax及び０とする。
【００５２】
使用率算出部１４は、まず、Xbmin＝Xmax、Ybmin＝Ymax、Xbmax＝Ybmax＝０と代入し（ステップＳ１０２）、記載領域１〜６の何れかを定義する「Ｉ」に１を代入する（ステップＳ１０３）。換言すれば、記載領域Ｉにおける「Ｉ」に１を代入することにより、先ずは記載領域１を以降の処理の対象とする。
【００５３】
次いで、使用率算出部１４はＩがＤＭ以下であるか否かを判定する（ステップＳ１０４）。現在Ｉは１であるので、使用率算出部１４は、ＩがＤＭ以下であると判定し（ステップＳ１０４：ＹＥＳ）、記載領域１の始点のＸ座標「SX（１）」がXbmin以下であるか否かを判定する（ステップＳ１０５）。
【００５４】
使用率算出部１４は、「SX（１）」がXbmin以下であると判定した場合（ステップＳ１０５：ＹＥＳ）、「Xbmin」を「SX（１）」に置き換える（ステップＳ１０６）。以降処理はステップＳ１０７に進む。
【００５５】
一方、使用率算出部１４は、「SX（１）」がXbmin以下でないと判定した場合（ステップＳ１０５：ＮＯ）、記載領域１の始点のＹ座標「SY（１）」がYbmin以下であるか否かを判定する（ステップＳ１０７）。
【００５６】
使用率算出部１４は、「SY（１）」がYbmin以下であると判定した場合（ステップＳ１０７：ＹＥＳ）、「Ybmin」を「SY（１）」に置き換える（ステップＳ１０８）。以降処理はステップＳ１０９に進む。
【００５７】
一方、使用率算出部１４は、「SY（１）」がYbmin以下でないと判定した場合（ステップＳ１０７：ＮＯ）、記載領域１の終点のＸ座標「EX（１）」がXbmax以下であるか否かを判定する（ステップＳ１０９）。
【００５８】
使用率算出部１４は、「EX（１）」がXbmax以下でないと判定した場合（ステップＳ１０９：ＮＯ）、「Xbmax」を「EX（１）」に置き換える（ステップＳ１１０）。以降処理はステップＳ１１１に進む。
【００５９】
一方、使用率算出部１４は、「EX（１）」がXbmax以下であると判定した場合（ステップＳ１０９：ＹＥＳ）、記載領域１の終点のＹ座標「EY（１）」がYbmax以下であるか否かを判定する（ステップＳ１１１）。
【００６０】
使用率算出部１４は、「EY（１）」がYbmax以下でないと判定した場合（ステップＳ１１１：ＮＯ）、「Ybmax」を「EY（１）」に置き換える（ステップＳ１１２）。以降処理はステップＳ１１３に進む。
【００６１】
一方、使用率算出部１４、「EY（１）」がYbmax以下であると判定した場合（ステップＳ１１１：ＹＥＳ）、「Ｉ+１」を更に「Ｉ」に代入して（ステップＳ１１３）、処理を再びステップＳ１０４に戻す。
【００６２】
以降、記載領域２〜６に対してもステップＳ１０１〜ステップＳ１１２の処理が施される。
【００６３】
一方、「Ｉ」が６である場合は、ステップＳ１１３にて「Ｉ」が７となり、ステップＳ１０４にて、使用率算出部１４はＩがＤＭ以下でないと判定する（ステップＳ１０４：ＮＯ）
【００６４】
この際、Xbmin、Xbmax、Ybmin、Ybmaxが求められている。例えば、図４では、Xbmin=x１、Ybmin=y１、Xbmax=x８、Ybmax=y１２となる。
【００６５】
続いて、使用率算出部１４はＸ軸使用率Rux及びＹ軸使用率Ruyを算出する（ステップＳ１１４）。Ｘ軸使用率Rux及びＹ軸使用率Ruyは以下の式によって算出される。
Ｘ軸使用率Rux＝１−（（Xbmin−０）＋（Xmax−Xbmax））/Xmax）
Ｙ軸使用率Ruy＝１−（（Ybmin−０）＋（Ymax−Ybmax））/Ymax）
【００６６】
このような処理によって、Ｘ軸使用率Rux及びＹ軸使用率Ruyが算出される。
【００６７】
また、他の使用率算出方法としては、表示部１００Ａの表示面１０１のＸ軸及びＹ軸における座標が、表示されたオブジェクトに係る座標と重複するか否かに基づいて前記使用率を算出する方法がある。
【００６８】
図６は本発明の実施の形態１の電子黒板装置１００において、表示面１０１の使用率を算出する他の方法を説明するフローチャートである。
【００６９】
まず、使用率算出部１４は全ての記載領域の数（ＤＭ）を取得する（ステップＳ２０１）。図４に示しているように、ＤＭは「６」である。
【００７０】
次いで、使用率算出部１４は、ＵＸ、ＵＹ、ＩＸ、及びＩＹの初期値を０として設定する（ステップＳ２０２）。ここで、ＵＸはＸ座標の使用量、すなわち、Ｘ座標のうち、描画図と重複するものの数であり、ＵＹはＹ座標の使用量、すなわち、Ｙ座標のうち、描画図と重複するものの数である。また、ＩＸは現在注目のＸ座標であり、ＩＹは現在注目のＹ座標である。
【００７１】
また、使用率算出部１４は、記載領域１〜６の何れかを定義する「Ｉ」に１を代入する（ステップＳ２０３）。すなわち、記載領域Ｉにおける「Ｉ」に１を代入することにより、先ずは記載領域１を以降の処理の対象とする。
【００７２】
使用率算出部１４は、「SX（Ｉ）≦ＩＸ and ＩＸ≦EX（Ｉ）」の条件を満たしているか否かを判定する（ステップＳ２０４）。すなわち、現在注目のＸ座標（ＩＸ）が記載領域Ｉと重なっているか否かを判定する。現在「Ｉ」は１であり、「ＩＸ」は０なので、使用率算出部１４はＸ座標「０」が記載領域１と重なっているか否かを判定する。
【００７３】
「SX（Ｉ）≦ＩＸ and ＩＸ≦EX（Ｉ）」の条件を満たしていないと判定した場合（ステップＳ２０４：ＮＯ）、使用率算出部１４は、「Ｉ」を加算し、すなわち、「Ｉ+１」を再び「Ｉ」に代入し（ステップＳ２０５）、この際のＩがＤＭ以下であるか否かを判定する（ステップＳ２０７）。
【００７４】
使用率算出部１４は、ＩがＤＭ以下であると判定した場合（ステップＳ２０７：ＹＥＳ）、処理をステップＳ２０４に戻す。換言すれば、次の記載領域、すなわち、記載領域２に対してＩＸと重なっているか否かを判定する。
【００７５】
一方、使用率算出部１４は、「SX（Ｉ）≦ＩＸ and ＩＸ≦EX（Ｉ）」の条件を満たしていると判定した場合（ステップＳ２０４：ＹＥＳ）、「ＵＸ」を加算し、すなわち、「ＵＸ+１」を再び「ＵＸ」に代入し（ステップＳ２０６）、処理はステップＳ２０８に進む。
【００７６】
また、使用率算出部１４は、ＩがＤＭ以下でないと判定した場合（ステップＳ２０７：ＮＯ）、「ＩＸ+１」を再び「ＩＸ」に代入し（ステップＳ２０８）、この際のＩＸがXmax以下であるか否かを判定する（ステップＳ２０９）。
【００７７】
使用率算出部１４は、ＩＸがXmax以下であると判定した場合（ステップＳ２０９：ＹＥＳ）、処理を再びステップＳ２０３に戻す。すなわち、Ｘ座標「１」に対しても、ステップＳ２０３〜２０８の処理が施される。これは、Ｘ座標「Xmax」まで、すなわち、全Ｘ座標に対して繰り返される。
【００７８】
一方、使用率算出部１４は、ＩＸがXmax以下でないと判定した場合（ステップＳ２０９：ＮＯ）、換言すれば、全Ｘ座標に対して、ステップＳ２０３〜２０８の処理が施された場合、全Ｙ座標に対して斯かる処理を繰り返す。
【００７９】
使用率算出部１４は、「Ｉ」に１を代入する（ステップＳ２１０）。すなわち、先ずは記載領域１を以降の処理の対象とする。
【００８０】
次いで、使用率算出部１４は、「SY（Ｉ）≦ＩＹ and ＩＹ≦EY（Ｉ）」の条件を満たしているか否かを判定する（ステップＳ２１１）。すなわち、現在注目のＹ座標（ＩＹ）が記載領域Ｉと重なっているか否かを判定する。現在「Ｉ」は１であり、「ＩＹ」は０なので、使用率算出部１４はＹ座標「０」が記載領域１と重なっているか否かを判定する。
【００８１】
「SY（Ｉ）≦ＩＹ and ＩＹ≦EY（Ｉ）」の条件を満たしていないと判定した場合（ステップＳ２１１：ＮＯ）、使用率算出部１４は、「Ｉ+１」を再び「Ｉ」に代入し（ステップＳ２１２）、この際のＩがＤＭ以下であるか否かを判定する（ステップＳ２１４）。
【００８２】
使用率算出部１４は、ＩがＤＭ以下であると判定した場合（ステップＳ２１４：ＹＥＳ）、処理をステップＳ２１１に戻し、次の記載領域に対してＩＹと重なっているか否かを判定する。
【００８３】
一方、使用率算出部１４は、「SY（Ｉ）≦ＩＹ and ＩＹ≦EY（Ｉ）」の条件を満たしていると判定した場合（ステップＳ２１１：ＹＥＳ）、「ＵＹ+１」を再び「ＵＹ」に代入し（ステップＳ２１３）、処理はステップＳ２１５に進む。
【００８４】
また、使用率算出部１４は、ＩがＤＭ以下でないと判定した場合（ステップＳ２１４：ＮＯ）、「ＩＹ+１」を再び「ＩＹ」に代入し（ステップＳ２１５）、この際のＩＹがYmax以下であるか否かを判定する（ステップＳ２１６）。
【００８５】
使用率算出部１４は、ＩＹがYmax以下であると判定した場合（ステップＳ２１６：ＹＥＳ）、処理を再びステップＳ２１０に戻す。すなわち、他のＹ座標に対しても、ステップＳ２１０〜２１５の処理が施される。これは、Ｙ座標「Ymax」まで、すなわち、全Ｙ座標に対して繰り返される。
【００８６】
一方、使用率算出部１４は、ＩＹがYmax以下でないと判定した場合（ステップＳ２１６：ＮＯ）、換言すれば、全Ｙ座標に対してステップＳ２１０〜２１５の処理が施された場合、ＵＸ、及び、ＵＹが定められる。
【００８７】
続いて、使用率算出部１４はＸ軸使用率Rux及びＹ軸使用率Ruyを算出する（ステップＳ２１７）。Ｘ軸使用率Rux及びＹ軸使用率Ruyは以下の式によって算出される。
Ｘ軸使用率Rux＝１−（ＵＸ÷Xmax）
Ｙ軸使用率Ruy＝１−（ＵＹ÷Ymax）
【００８８】
このような処理によって、Ｘ軸使用率Rux及びＹ軸使用率Ruyが算出される。
【００８９】
他の使用率算出方法としては、図６に係る方法と同様な方法でありながらも、図６に係る方法より簡単な方法がある。図７は本発明の実施の形態１の電子黒板装置１００において、表示面１０１の使用率を算出する他の方法を説明するフローチャートである。
【００９０】
図７に係る方法においては、図６に係る方法に比べ、ステップＳ３０４及びステップＳ３０６、並びに、ステップＳ３１１及びステップＳ３１３にて相違する。
【００９１】
詳しくは、図７に係る方法においては、記載領域Ｉにて注目座標が重なった時点で、該記載領域Ｉの終点までの座標が使用されているとして、その座標から該記載領域Ｉの終点座標との差をＵＸ又はＵＹに加算すると共に、該終点座標までの処理をスキップする。
【００９２】
すなわち、例えば、ステップＳ３０４及びステップＳ３０６の処理においては、現在注目の座標ＩＸから重なりが確認できた記載領域Ｉの終点のＸ座標EX（Ｉ）までの差分をＸ座標使用量ＵＸに加えると共に、現在注目のＸ座標位置を当該記載領域ＩのＸ座標EX（Ｉ）とすることで、重なっていると分かっている終点Ｘ座標EX（Ｉ）までの処理を省略している。
【００９３】
これによって、Ｘ軸、Ｙ軸、夫々について、Ｘ軸使用量ＵＸ及びＹ軸使用量ＵＹが求められ、図６に係る方法と同様にＸ軸、Ｙ軸の最大値であるXmaxとYmaxとで夫々を割算することにより、Ｘ軸使用率Rux、及び、Ｙ軸使用率Ruyを算出することができる。
【００９４】
また、他の処理については、図６に係る方法と同様であるので、詳しい説明を省略する。
【００９５】
上述した方法以外にも、処理を施す座標を所定の間隔に間引くことによって、装置における処理負担を軽くする方法もある。例えば、一定間隔ごとのＸ座標、Ｙ座標に記載領域１〜６が重なるかを調べる方法がある。
【００９６】
図８は本発明の実施の形態１の電子黒板装置１００において、ユーザによる描画が行われた場合を例示する例示図であり、図９は本発明の実施の形態１の電子黒板装置１００において、表示面１０１の使用率を算出する他の方法を説明するフローチャートである。
【００９７】
図９に係る方法においては、図７に係る方法に比べ、ステップＳ４０２、並びに、ステップＳ４０８及びステップＳ４１５にてのみ相違する。
【００９８】
詳しくは、図７に係る方法においては、表示面１０１のＸ座標をＫ等分、Ｙ座標をＬ等分するとした場合、Ｘ座標最大値XmaxをＫで割った値はＸＸ（Xmax÷Ｋ）であり、Ｙ座標最大値YmaxをＬで割った値はＹＹ（Ymax÷Ｌ）になる（ステップＳ４０２）。すなわち、Ｘ軸においてはＸＸの間隔で、Ｙ軸においてはＹＹの間隔で記載領域との重なりを調べる。
【００９９】
図８の例ではＫ＝Ｌ＝１０であり、Ｘ軸、Ｙ軸を共に、１０等分して、cx１、cx２、・・・、cx９、cy１、cy２、・・・、cy９とＸ座標又はＹ座標に記載領域が重なっているか調べることになる。
【０１００】
この際、現在注目のＸ座標ＩＸ及びＹ座標ＩＹには夫々ＸＸ及びＹＹずつ加算しながら（ステップＳ４０８及びステップＳ４１５）、現在注目のＸ座標ＩＸ及びＹ座標ＩＹと記載領域との重なりを調べることにより、座標使用量ＵＸ及びＵＹを求める。
【０１０１】
また、他の処理については、図７に係る方法と同様であるので、詳しい説明を省略する。
【０１０２】
以上においては、本発明の実施の形態１の電子黒板装置１００（表示面１０１）に描画に係る画像のみが表示された場合を例として説明したが、本発明はこれに限るものでない。例えば、インポートされた文字、画像等が表示されている場合も適用可能であることは言うまでもない。このような場合は、所定の時間間隔ごとに、前記使用率の算出を行うように構成すればよい。
【０１０３】
指示送信部１５は、使用率算出部１４によって算出された使用率及び記憶部４に記憶されている閾値に基づいて、特定の待機状態に遷移する旨の遷移指示を他の電子黒板装置、すなわち、電子黒板装置２００〜４００の何れかに送信する。以下、電子黒板装置１００によって前記遷移指示が送信された電子黒板装置を被送信電子黒板装置と言う。
【０１０４】
また、指示送信部１５が被送信電子黒板装置に前記遷移指示を送信した後、設定情報送信部１７は、現在の電子黒板装置１００及びペン型入力器５００の間の設定情報を、前記被送信電子黒板装置に送信する。設定情報送信部１７による前記設定情報の送信は、特定の条件に満たしている場合、行われる。
【０１０５】
斯かる特定の条件は、例えば、ペン型入力器５００が被送信電子黒板装置の表示面への接近が検知された場合である。すなわち、被送信電子黒板装置が表示面への接近を検知できる最大距離までペン型入力器５００が接近した場合、換言すれば、ペン型入力器５００の接近が検知されたときである。
【０１０６】
状態遷移部１６は、前記遷移指示を受け付けた場合、前記位置指定を受け付けることが可能な位置指定待機状態に自装置を遷移させる。すなわち、電子黒板装置１００が後述する電源オン待機の状態である場合、他の電子黒板装置から、前記被送信電子黒板装置として電子黒板装置１００に前記遷移指示が送られた場合、状態遷移部１６は電子黒板装置１００を前記電源オン待機の状態から後述する自動電源オン待機の状態に遷移させる。これによって、電子黒板装置１００は表示面１０１へのペン型入力器５００の接近が検出できる状態になる。
【０１０７】
また、ＣＰＵ１１は、走査部９の発光素子及び受光素子の制御を行なう。
【０１０８】
タッチパネル部１００Ｂは、上記したように、赤外線遮断式タッチパネルである。すなわち、ペン型入力器５００の先端が表示部１００Ａの表示面１０１をタッチする際、又は、表示面１０１から所定の距離以内に接近した場合、光遮断が検出されることによって、斯かる遮光物（ペン型入力器５００）の位置を検出する。
【０１０９】
すなわち、走査結果、受光素子から得られる信号（強度信号）が制御部１に送出され、これに基づき、座標検出部１２は斯かる遮光物の座標を検出する。このようにして、タッチパネル部１００Ｂは、ユーザから表示部１００Ａ（表示面１０１）上の位置指定、文字、線画等の入力を受け付ける。
【０１１０】
タッチパネル部１００Ｂは、表示部１００Ａの表示面１０１に沿って赤外線の光（以下、赤外光と言う。）を走査する走査部９を備えており、走査部９は、赤外光を照射する複数の発光素子を有する発光部９１と、対応する発光素子からの赤外光を受光する複数の受光素子を有する受光部９２と、制御部１（ＣＰＵ１１）からの発光信号及び受光信号を夫々の発光部９１及び受光部９２に割り当てるアドレスデコーダ９３と、光遮断の検出に用いられる受光部９２からのアナログ信号をデジタル信号に変換するＡ／Ｄコンバータ９４とを備えている。
【０１１１】
図１０は本発明の実施の形態１に係る電子黒板装置１００のタッチパネル部１００Ｂにおける、光の走査の処理を説明する機能ブロック図である。
【０１１２】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対向するように構成されている。
【０１１３】
制御部１のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子のうち、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【０１１４】
このように特定された発光素子は赤外光を発光し、対応する受光素子は斯かる赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１に出力する。制御部１は、全ての受光素子からの強度信号を取得するために、各受光素子から強度信号を取得する処理を順次繰り返す。
【０１１５】
制御部１のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【０１１６】
このようなＣＰＵ１１の判定結果に基づき、座標検出部１２はペン型入力器５００と表示面１０１との接触（又は接近）の位置を検出する。すなわち、座標検出部１２は赤外光の光路が遮断されている受光素子を特定し、特定された受光素子の位置に基づき、表示部１００Ａの表示面１０１上における、ペン型入力器５００の先端部の位置、すなわち、接触（接近）の座標を検出する処理を行う。
【０１１７】
以下に、前記走査及び遮光物との接触位置の検出について詳しく説明する。図１１は本発明の実施の形態１の電子黒板装置１００における、走査及び遮光物との接触（接近）位置の検出を説明する説明図である。
【０１１８】
表示部１００Ａの表示面１０１は矩形状であり、表示面１０１の図面視左側及び上側には、表示部１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【０１１９】
右側の複数の発光素子９１１、９１１、…は、夫々の発光素子９１１が発光する赤外光の光路が表示面１０１に沿って互いに平行をなすように設けられており、下側の発光素子９１１、９１１、…も同様に設けられている。
【０１２０】
すなわち、図５の左右方向（Ｘ軸方向）における右側の発光素子９１１、９１１、…と、上下方向（Ｙ軸方向）における下側の複数の発光素子９１１、９１１、…とは、その光路が相互直交するように設けられている。
【０１２１】
また、表示部１００Ａの表示面１０１上であって、発光素子９１１、９１１、…と対向する位置には、受光素子９２１、９２１、…が設けられている。
【０１２２】
すなわち、表示部１００Ａの表示面１０１の左側及び上側には、縁に沿って複数の受光素子９２１、９２１、…の列が並設されている。受光素子９２１は、赤外光を受光する受光ダイオードである。発光素子９１１、９１１、…からの赤外光は、対向配置された受光素子９２１、９２１、…によって受光されるように構成されている。
【０１２３】
発光素子の場合と同様に、上側の受光素子９２１、９２１、…と、左側の受光素子９２１、９２１、…とは、受光すべき赤外光の光路が相互直交するように設けられている。
【０１２４】
走査部９は、表示部１００Ａの表示面１０１における、Ｘ軸方向の一端から他端まで、またＹ軸方向の一端から他端まで、１つずつ発光素子９１１を順次発光させていき、表示部１００Ａの表示面１０１における、ペン型入力器５００との接触（接近）位置が上述したように検出される。
【０１２５】
図１２は本発明の実施の形態１に係るペン型入力器５００の要部構成を示す機能ブロック図である。ペン型入力器５００は、電子黒板装置１００と通信可能に構成されており、電子黒板装置１００に描画データを送信する。
【０１２６】
また、ペン型入力器５００は、ユーザにより描画に用いされる際、表示部１００Ａの表示面１０１と接触（又は接近）する接触部５０１と、前記描画データの生成に係る部分を収容するペン型のケーシング５０２とを有している。接触部５０１は柱状をなしており、ケーシング５０２の軸心方向（又は長手方向）に沿う移動ができるように、ケーシング５０２によって保持されている。
【０１２７】
更に、ペン型入力器５００は、筆圧検知部５１０と、制御部５２０と、記憶部５３０と、電源部５４０と、通信部５５０とを備えており、これらはケーシング５０２内に収容されている。また、ケーシング５０２の外側には、ペン型入力器５００の機能の切替の指示を受け付ける操作スイッチＳが設けられている。
【０１２８】
筆圧検知部５１０は、ユーザがペン型入力器５００を握って表示部１００Ａの表示面１０１に描画を行なう際、接触部５０１の先端と、表示面１０１との接触による接触圧を測定する。換言すれば、該接触によって接触部５０１にかかる圧力を測定する。
【０１２９】
制御部５２０は、筆圧検知部５１０による検知結果、ペン型入力器５００の識別ＩＤ等（描画データ）を、通信部５５０を介して電子黒板装置１００に送信する。また、制御部５２０は、筆圧検知部５１０によって検知された接触圧が該閾値を超えた場合にスイッチオンとし、それ以外はスイッチオフとする構成であっても良い。
【０１３０】
記憶部５３０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部５３０は、ペン型入力器５００の識別ＩＤ、操作スイッチＳを介してユーザから受け付けた指示、描画に係る設定情報等を記憶している。
【０１３１】
電源部５４０は、上述した部分に対して、電源を供給する。
【０１３２】
通信部５５０は、制御部５２０から前記描画データを取得して、電子黒板装置１００の通信部５に送信する。通信部５５０は、通信部５に対応して、例えば、Ｂｌｕｅｔｏｏｔｈ（登録商標）、ＺｉｇＢｅｅ（登録商標）等の無線通信を行なうように構成されている。
【０１３３】
また、本発明に係る表示システム１０において、電子黒板装置１００〜４００は少なくとも２つ以上の待機状態と、主電源オフ状態と、通常状態とを有する。ここで、主電源オフ状態は、主電源スイッチがオフの状態で、通電がされておらず、動作が不可能な状態である。また、通常状態はすぐでも描画等の自装置の機能が実行可能な状態である。
【０１３４】
更に、前記待機状態としては、電源オン待機と、自動電源オン待機（位置指定待機状態）とを有している。前記電源オン待機は、主電源はオンであるが、ソフトウェアにより自装置の機能の実行が制限されている状態である。ソフトウェアの制御により自装置の機能の実行が可能な待機状態に遷移できる。また、前記自動電源オン待機は完全ではないものの、すぐに自装置の機能の実行が可能な待機状態であり、表示部１００Ａの表示面１０１がオフである。例えば、ペン型入力器５００が表示部１００Ａの表示面１０１に接近した場合、描画機能が起動できる待機状態である。
【０１３５】
本発明はこれに限るものでなく、前記自動電源オン待機と、前記通常状態との間にもう１つの待機状態（位置指定待機状態）を設けても良い。例えば、前記描画機能が起動済みであり、表示部１００Ａの表示面１０１のみがオフである待機状態、すなわち、画像表示のみがされない待機状態を更に設けても良い。
【０１３６】
また、電子黒板装置１００〜４００は互いに、有線又は無線にて接続されている。有線によって接続する方法としてシリアルケーブルを用いて接続する方法、ＬＡＮ（ローカルエリアネットワーク）ケーブルにより接続する方法等がある。一方、無線によって接続する方法としては無線電波、赤外線等を用いる方法がある。このような方法は公知の技術であり、詳しい説明を省略する。
【０１３７】
以上のような構成を有する表示システム１０においては、一の電子黒板装置でユーザが描画を行う際、該一の電子黒板装置の表示面の使用率が高くなり、他の電子黒板装置での描画が必要であると予想される場合、事前に該他の電子黒板装置を描画処理可能な状態にし、ユーザの利便性を高める。以下、詳しく説明する。
【０１３８】
図１３は本発明の実施の形態１に係る表示システム１０における、描画機能を説明するフローチャートである。以下においては、説明の便宜上、記憶部４が装置管理テーブルを記憶しているものとする。該装置管理テーブルには、電子黒板装置の起動順位、各電子黒板装置の存在の確認如何、各電子黒板装置の運転状態、各電子黒板装置の使用率、有線接続での各電子黒板装置の有線ＩＤ、無線接続での各電子黒板装置の無線ＩＤ、各電子黒板装置のユニークＩＤ等を一括して管理する。
【０１３９】
図１４は本発明の実施の形態１の電子黒板装置１００において、記憶部４に格納されている装置管理テーブルを概念的に示す例示図である。
【０１４０】
前記装置管理テーブルは、起動順位１からｎ番目までの各電子黒板装置に対して、存在が確認されたかを示す検出フラグFj(n)が格納されている。検出フラグFj(n)にて、「０」は「確認できず」、「１」は「確認済みであり、使用中」、「２」は「確認済みであり、未使用」を示している。
【０１４１】
また、前記装置管理テーブルは、各電子黒板装置に対して、その電子黒板装置の運転状態を示す運転状態フラグFp(n) が格納されている。運転状態フラグFp(n)にて、「０」は「確認不可」、「１」は「電源オン待機中」、「２」は「自動電源オン待機中」、「３」は「動作中」を示している。
【０１４２】
また、前記装置管理テーブルは、の各電子黒板装置に対して、その電子黒板装置における、Ｘ軸及びＹ軸上の使用比率Rbx(n)とRby(n)とを示している。
【０１４３】
また、前記装置管理テーブルは、各電子黒板装置に対して、その電子黒板装置の有線接続での有線ID Aw(n) が格納されており、「００」は当該電子黒板装置の確認ができなかったことを示している。更に、前記装置管理テーブルは、各電子黒板装置に対して、その電子黒板装置の無線接続での無線ID Ab(n)、及び、その電子黒板装置だけが持つユニークID SN(n) が格納されている。ユニークID、SN(n)は、例えば、ＭＡＣアドレス等を用いてもよい。
【０１４４】
以下の説明においては、前記装置管理テーブルが電子黒板装置１００の記憶部４に格納されている場合を例として説明するが、本発明はこれに限るものでない。各電子黒板装置が夫々有するように構成しても良く、共有できるように構成しても良い。また、このような場合は、各電子黒板装置が装置管理テーブルにアクセスし、自装置に係る装置管理テーブル内容を編集できるようにすれば良い。
【０１４５】
まず、ユーザはペン型入力器５００を用いて電子黒板装置１００の表示面１０１に描画を開始する。
【０１４６】
この際、ＣＰＵ１１は、座標検出部１２によって検出されたペン型入力器５００の座標であって、遮光物管理部１３が記録する、ペン型入力器５００の座標履歴に基づいて線図を表示面１０１に表示する描画処理を実行する（ステップＳ５０１）。斯かる描画処理は、例えば、ＣＰＵ１１がＲＯＭ２に格納された所定のプログラムを実行することにより行われる。
【０１４７】
また、ＣＰＵ１１は、ペン型入力器５００が表示面１０１から離れたか否かを判定する（ステップＳ５０２）。斯かる判定は、例えば、表示面１０１上のペン型入力器５００の位置（座標）が検出されたか否かに基づいて行われる。
【０１４８】
ＣＰＵ１１はペン型入力器５００が表示面１０１から離れていないと判定した場合（ステップＳ５０２：ＮＯ）、処理をステップＳ５０１に戻す。
【０１４９】
また、ＣＰＵ１１によって、ペン型入力器５００が表示面１０１から離れたと判定された場合（ステップＳ５０２：ＹＥＳ）、使用率算出部１４は使用率の算出の処理を開始する（ステップＳ５０３）。斯かる、使用率の算出の処理は、図５、図６、図７及び図９に係る方法の何れかであり、これら方法については、既に説明しており、詳しい説明を省略する。
【０１５０】
次いで、指示送信部１５は使用率算出部１４によって算出された使用率（以下、算出使用率）を記憶部４に記憶された閾値と比較することにより、該算出使用率が閾値以上であるか否かを判定する（ステップＳ５０４）。
【０１５１】
指示送信部１５によって、前記算出使用率が閾値以上でないと判定された場合（ステップＳ５０４：ＮＯ）、処理がステップＳ５０１に戻される。また、指示送信部１５は、前記算出使用率が閾値以上であると判定した場合（ステップＳ５０４：ＹＥＳ）、次に起動すべき電子黒板装置の選択を行う（ステップＳ５０５）。斯かる電子黒板装置の選択は、記憶部４に格納されている装置管理テーブルの起動順位に基づいて行われる。
【０１５２】
説明の便宜上、前記装置管理テーブルにおける起動順位上、次に起動すべき電子黒板装置は電子黒板装置２００であるとする。すなわち、指示送信部１５は次に起動すべき電子黒板装置として電子黒板装置２００を選択する。
【０１５３】
ついで、指示送信部１５は、選択された電子黒板装置２００に前記遷移指示を送信する（ステップＳ５０６）。すなわち、電子黒板装置２００は前記被送信電子黒板装置であり、この際、電子黒板装置２００は電源オン待機の状態である。
【０１５４】
一方、電子黒板装置２００においては、前記遷移指示を受信した場合、電子黒板装置２００の状態遷移部が電子黒板装置２００を前記電源オン待機の状態から前記自動電源オン待機の状態に遷移させる。これによって、電子黒板装置２００は自装置の表示面へのペン型入力器５００の接近が検出できる状態となる。
【０１５５】
また、電子黒板装置２００が自装置の表示面への接近を検知できる最大距離までペン型入力器５００が接近した場合、換言すれば、電子黒板装置２００がペン型入力器５００の接近を検知したとき、電子黒板装置２００は電子黒板装置１００にその旨を示す検知通知を行う。
【０１５６】
この際、ＣＰＵ１１は、例えば、通信部５を監視することにより、電子黒板装置２００から前記検知通知があったか否かを判定する（ステップＳ５０７）。ＣＰＵ１１は、電子黒板装置２００から前記検知通知がなかったと判定した場合（ステップＳ５０７：ＮＯ）、前記検知通知を受信するまで斯かる判定を繰り返して行う。
【０１５７】
一方、ＣＰＵ１１によって電子黒板装置２００から前記検知通知があったと判定された場合（ステップＳ５０７：ＹＥＳ）、設定情報送信部１７は、現在の電子黒板装置１００及びペン型入力器５００の間の設定情報を、被送信電子黒板装置である電子黒板装置２００に送信する（ステップＳ５０８）。
【０１５８】
従って、ユーザが、電子黒板装置１００に続いて、電子黒板装置２００の表示面に描画を行う場合、前記設定情報に基づいて、電子黒板装置２００でも、電子黒板装置１００と同一属性の描画図を表示される。
【０１５９】
以上のことから、本発明の実施の形態１に係る表示システム１０においては、電子黒板装置１００での描画スペースがない場合、電子黒板装置２００が自ら描画処理ができる状態に運転状態を遷移しておき、ユーザがすぐに電子黒板装置２００にて描画を継続でき、中断されることなくユーザが描画を行うことが出来る。
【０１６０】
また、本発明の実施の形態１に係る表示システム１０においては、電子黒板装置１００での描画スペースがない場合、すなわち、使用率が閾値以上である場合、電子黒板装置２００が自ら描画処理ができる状態に運転状態を遷移させるので、ユーザが電子黒板装置２００の運転状態を描画処理のできる状態にするための操作を省くことが出来る。
【０１６１】
（実施の形態２）
実施の形態１に係る表示システム１０においては、電子黒板装置１００が装置管理テーブルを有しており、他の電子黒板装置２００〜４００において、起動順位が前もって定められている場合を例として説明した。しかし、本発明は、これに限るものでない。例えば、他の電子黒板装置２００〜４００における起動順位が定められていない場合であっても、適用することが出来る。
【０１６２】
図１５は本発明の実施の形態２に係る表示システム１０における、描画機能を説明するフローチャートである。
【０１６３】
まず、ユーザはペン型入力器５００を用いて電子黒板装置１００の表示面１０１に描画を開始する。
【０１６４】
ステップＳ６０１〜ステップＳ６０４の処理は、図１３における、ステップＳ５０１〜ステップＳ５０４の処理と同様であり、詳しい説明を省略する。
【０１６５】
一方、ステップＳ６０４にて、前記算出使用率が閾値以上であると判定された場合（ステップＳ６０４：ＹＥＳ）、ＣＰＵ１１は、前記装置管理テーブルを参照することにより、起動順位の設定があるか否かを判定する（ステップＳ６０５）。
【０１６６】
ＣＰＵ１１によって起動順位の設定がないと判定された場合（ステップＳ６０５：ＮＯ）、指示送信部１５は、全ての他の電子黒板装置２００〜４００に前記遷移指示を送信する（ステップＳ６１０）。この際、電子黒板装置２００〜４００は電源オン待機の状態である。
【０１６７】
該遷移指示を受信した電子黒板装置２００〜４００の状態遷移部は、夫々自装置を前記電源オン待機の状態から前記自動電源オン待機の状態に遷移させる。これによって、電子黒板装置２００〜４００は自装置の表示面へのペン型入力器５００の接近が検出できる状態となる。
【０１６８】
この後、ユーザは、使用率が閾値以上である、換言すれば、これ以上描画スペースがない電子黒板装置１００を除く、他の電子黒板装置２００〜４００の何れかに、描画を継続するつもりで、ペン型入力器５００を近づける。この際、斯かる電子黒板装置はペン型入力器５００の接近を検知し、電子黒板装置１００にその旨を示す検知通知を行う。以下、ユーザは他の電子黒板装置２００〜４００のうち、電子黒板装置２００に描画を続けることする。
【０１６９】
この際、ＣＰＵ１１は、例えば、通信部５を監視することにより、電子黒板装置２００〜４００の何れかから前記検知通知があったか否かを判定する（ステップＳ６１１）。ＣＰＵ１１は前記検知通知がなかったと判定した場合（ステップＳ６１１：ＮＯ）、前記検知通知を受信するまで斯かる判定を繰り返して行う。
【０１７０】
一方、ＣＰＵ１１によって前記検知通知があったと判定された場合（ステップＳ６１１：ＹＥＳ）、設定情報送信部１７は、斯かる検知通知の通知元である電子黒板装置２００に、現在の電子黒板装置１００及びペン型入力器５００の間の設定情報を送信する（ステップＳ６１２）。
【０１７１】
次いで、ＣＰＵ１１は、電子黒板装置２００を除く電子黒板装置３００、４００に、再び電源オン待機の状態に戻る旨の指示を送信する（ステップＳ６１３）。これにより、ユーザにより使用されない電子黒板装置３００、４００は電源オン待機の状態に遷移し、無駄な電力消費を未然に防止できる。
【０１７２】
一方、ＣＰＵ１１によって起動順位の設定があると判定された場合（ステップＳ６０５：ＹＥＳ）、処理はステップＳ６０６に進む。
【０１７３】
以降、ステップＳ６０６〜ステップＳ６０９における処理は、図１３における、ステップＳ５０５〜ステップＳ５０８の処理と同様であり、詳しい説明を省略する。
【０１７４】
以上のように、本発明の実施の形態２に係る表示システム１０においても、電子黒板装置１００での描画スペースがない場合、ユーザがすぐに他の電子黒板装置２００〜４００にて描画を継続でき、中断されることなくユーザが描画を行うことが出来る。また、この際、斯かる電子黒板装置が自ら描画処理ができる状態に運転状態を遷移させるので、ユーザは該電子黒板装置を描画処理のできる状態にするために、電源オン、描画に係る機能の立ち上げ等の操作を省くことが出来る。
【０１７５】
図１６は本発明の実施の形態２に係る表示システム１０において、一の電子黒板装置における使用率が閾値以上である場合の処理を説明する説明図であり、図１７は斯かる処理を時系列に示した図である。
【０１７６】
例えば、電子黒板装置１００〜４００間の接続が無線にて行われ、夫々の電子黒板装置の位置判別が難しく、電子黒板装置１００〜４００における起動順位の設定もないとする。
【０１７７】
ユーザは電子黒板装置１００〜４００のメイン電源をオンにして（図１７のt０時）、まず、電子黒板装置２００にて描画を開始する（図１７のt０′時）。この際、電子黒板装置２００は通常状態であり、電子黒板装置１００、３００、４００は電源オン待機の状態である（図１６のＡ）。
【０１７８】
電子黒板装置２００での使用率が高まり閾値以上になると（図１７のtp１時）、他の電子黒板装置１００、３００、４００での描画がすぐ出来るように、電子黒板装置２００は電子黒板装置１００、３００、４００に前記遷移指示を送信する。該遷移指示を受信して電子黒板装置１００、３００、４００は前記自動電源オン待機の状態に遷移する（図１６のＢ）（図１７のtp１′時）。
【０１７９】
この際、すなわち、tp１〜tp１′間は電子黒板装置１００、３００、４００が自ら自動電源オン待機の状態に遷移するので、従来の場合に比べてユーザの描画作業は中断されない。
【０１８０】
ユーザは電子黒板装置２００の次に、電子黒板装置１００を使用しようとペン型入力器５００を近づける。この時、電子黒板装置１００は瞬時描画に係る機能を立ち上げ、描画処理ができる通常状態に遷移する（図１６のＣ）。この際、電子黒板装置１００（又は電子黒板装置２００）は、電子黒板装置３００、４００に再び電源オン待機の状態に戻る旨指示し（図１７のt１時）、電子黒板装置３００、４００は電源オン待機の状態に戻る（図１７のt１′時）。
【０１８１】
また、本発明はこれに限るものでなく、一定時間経過までペン型入力器５００の接近が検出されない場合、電子黒板装置３００、４００が自ら電源オン待機の状態に遷移するように構成しても良い。
【０１８２】
以降、電子黒板装置１００での使用率が高まり閾値以上になると（図１７のtp２時）、他の電子黒板装置３００、４００での描画がすぐ出来るように、電子黒板装置１００は電子黒板装置３００、４００に前記遷移指示を送信する。該遷移指示を受信して電子黒板装置３００、４００は前記自動電源オン待機の状態に遷移する（図１６のＤ）（図１７のtp２′時）。
【０１８３】
ユーザは電子黒板装置１００の次に、電子黒板装置４００を使用しようとペン型入力器５００を近づける。この時、電子黒板装置４００は瞬時描画に係る機能を立ち上げ、描画処理ができる通常状態に遷移する（図１６のＥ）。この際、電子黒板装置４００（又は電子黒板装置１００）は再び電源オン待機の状態に戻る旨の指示を電子黒板装置３００に行い（図１７のt２時）、電子黒板装置３００は電源オン待機の状態に戻る（図１７のt２′時）。
【０１８４】
また、本発明はこれに限るものでない。現在、電子黒板装置３００が最後に残っているので、電源オン待機の状態に戻らず、自動電源オン待機の状態のまま待機するように構成しても良い。また、電子黒板装置４００での使用率が閾値以上に達した場合、これに連動して電子黒板装置３００が通常状態に遷移するように構成しても良い。
【０１８５】
前記tp２〜tp２′間は、上述したtp１〜tp１′間と同様、従来の場合に比べてユーザの描画作業は中断されない。
【０１８６】
実施の形態１と同様の部分については、同一の符号を付して詳細な説明を省略する。
【０１８７】
（実施の形態３）
有線による接続の場合でもシリアルケーブルのような有線接続では、電子黒板装置間の配置、即ち隣り合う電子黒板装置を特定することが出来るので、本発明の実施の形態３に係る表示システム１０は、たとえ、起動順位の定めがない場合であっても、電子黒板装置の位置に基づいて対応することができる。以下、詳しく説明する。
【０１８８】
図１８は本発明の実施の形態３に係る表示システム１０において、一の電子黒板装置における使用率が閾値以上である場合の処理を説明する説明図である。以下、説明の便宜上、電子黒板装置１００〜４００間の接続がシリアルケーブルのような有線接続にて行われているとする。
【０１８９】
ユーザは電子黒板装置１００〜４００のメイン電源をオンにして（図１７のt０時）、まず、電子黒板装置２００にて描画を開始する（図１７のt０′時）。この際、電子黒板装置２００は通常状態であり、電子黒板装置１００、３００、４００は電源オン待機の状態である（図１８のＡ）。
【０１９０】
電子黒板装置２００での使用率が高まり閾値以上になると、電子黒板装置２００の両側にある電子黒板装置１００、３００での描画がすぐ出来るように、電子黒板装置２００は電子黒板装置１００、３００に前記遷移指示を送信する。該遷移指示を受信して電子黒板装置１００、３００は前記自動電源オン待機の状態に遷移する（図１８のＢ）。
【０１９１】
ユーザは電子黒板装置２００の次に、電子黒板装置１００を使用しようとペン型入力器５００を近づける。この時、電子黒板装置１００は瞬時描画に係る機能を立ち上げ、描画処理ができる通常状態に遷移する（図１８のＣ）。この際、電子黒板装置１００（又は電子黒板装置２００）は、電子黒板装置３００に再び電源オン待機の状態に戻る旨指示し、電子黒板装置３００は該指示に応じて電源オン待機の状態に戻る。
【０１９２】
また、本発明はこれに限るものでなく、一定時間経過までペン型入力器５００の接近が検出されない場合、電子黒板装置３００が自ら電源オン待機の状態に遷移するように構成しても良い。
【０１９３】
以降、電子黒板装置１００での使用率が高まり閾値以上になると、電子黒板装置３００での描画がすぐ出来るように、電子黒板装置１００は電子黒板装置３００に前記遷移指示を送信する。該遷移指示を受信して電子黒板装置３００は前記自動電源オン待機の状態に遷移する（図１８のＤ）。
【０１９４】
ユーザは電子黒板装置１００の次に、ペン型入力器５００を電子黒板装置３００に近づける。この時、電子黒板装置３００は瞬時描画に係る機能を立ち上げ、描画処理ができる通常状態に遷移する（図１８のＥ）。この際、電子黒板装置３００（又は電子黒板装置１００）は再び電源オン待機の状態に戻る旨の指示を電子黒板装置４００に行い、電子黒板装置４００は電源オン待機の状態に戻る。
【０１９５】
以上のように、本発明の実施の形態３に係る表示システム１０は、各電子黒板装置の位置が特定できる場合は、現在使用中の電子黒板装置の左右両側の電子黒板装置が先に自動電源オン待機の状態に遷移するように構成することにより、たとえ、起動順位の定めがない場合であっても、本発明に係る効果を図ることが出来る。
【０１９６】
また、以上の記載に限るものでなく、電子黒板装置１００〜４００に上位から下位にＩＤが振られるように構成した場合でも、本発明の実施の形態３に係る表示システム１０を適用することができることは言うまでもない。
【０１９７】
実施の形態１と同様の部分については、同一の符号を付して詳細な説明を省略する。
【０１９８】
なお、上述した使用率算出部１４、指示送信分１５、状態遷移部１６及び設定情報送信部１７は、ハードウェアロジックによって構成してもよいし、ＣＰＵ１１が所定のプログラムを実行することにより、ソフトウェア的に構築されてもよい。
【０１９９】
以上の記載においては、電子黒板装置１００が特許請求の範囲に記載の一の表示装置に該当し、電子黒板装置２００〜４００が特許請求の範囲に記載の他の表示装置に該当する場合を例として説明した。しかし、電子黒板装置２００〜４００が特許請求の範囲に記載の一の表示装置に該当し、電子黒板装置１００が特許請求の範囲に記載の他の表示装置に該当する場合においても本発明を適用可能であることは言うまでもない。
【０２００】
（実施の形態４）
図１９は本発明の実施の形態４の表示システム１０における、電子黒板装置１００の要部構成を示す機能ブロック図である。実施の形態４に係る電子黒板装置１００は、動作を行うためのコンピュータプログラムが、Ｉ／Ｆ６を介してＵＳＢメモリ等の可搬型記録媒体Ａで提供することも可能であるように構成されている。さらに、実施の形態４に係る電子黒板装置１００は、前記コンピュータプログラムを、外部装置から通信部５を介してダウンロードすることも可能であるように構成されている。以下に、その内容を詳しく説明する。
【０２０１】
実施の形態４に係る電子黒板装置１００は外装（又は内装）の記録媒体読み取り装置（図示せず）を備えており、該記録媒体読み取り装置に、表示面１０１に対するオブジェクト表示の割合を示す使用率を算出し、算出された使用率に基づいて、特定の待機状態に遷移する遷移指示を他の表示装置に送信させるプログラム等が記録された可搬型記録媒体Ａを挿入して、例えば、ＣＰＵ１１がＲＯＭ２にこのプログラムをインストールする。かかるプログラムはＲＡＭ３にロードして実行される。これにより、本発明の実施の形態４に係る電子黒板装置１００として機能する。
【０２０２】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ（登録商標）、フラッシュＲＯＭ等による半導体メモリを含めた固定的にプログラムコードを担持する媒体であっても良い。
【０２０３】
通信部５を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０２０４】
実施の形態１と同様の部分については、同一の符号を付して詳細な説明を省略する。
【０２０５】
本発明の実施態様１においては、描画による画像を含むオブジェクトが表示される表示面１０１を備える複数の表示装置と、該表示面１０１上に前記描画に係る位置指定を行う位置指定装置５００とを含む表示システム１０において、一の表示装置１００は、前記表示面１０１に対する前記オブジェクト表示の割合を示す使用率を算出する使用率算出部１４と、算出された使用率に基づいて、特定の待機状態に遷移する遷移指示を他の表示装置２００〜４００に送信する指示送信部１５とを備えており、前記他の表示装置２００〜４００は、前記遷移指示を受け付けた場合、前記位置指定を受け付けることが可能な位置指定待機状態に遷移させる状態遷移部１６を備えることを特徴とする。
【０２０６】
本発明によれば、前記一の表示装置にて描画を行っていたユーザが、前記他の表示装置にて描画を続ける場合、前記使用率算出部が前記使用率を算出し、例えば、算出された使用率が所定の閾値以上である場合、前記指示送信部が前記遷移指示を前記他の表示装置に送信する。前記遷移指示を受け付けた場合、前記他の表示装置の状態遷移部は自装置を前記位置指定待機状態に遷移させる。
【０２０７】
本発明の実施態様２においては、前記一の表示装置１００は、前記指示送信部１５による前記遷移指示の送信後、現在の自装置１００及び前記位置指定装置５００の間の設定情報を、前記他の表示装置２００〜４００に送信する設定情報送信部１７を備えることを特徴とする。
【０２０８】
本発明によれば、前記指示送信部による前記遷移指示の送信後、前記一の表示装置の設定情報送信部は、現在の自装置及び前記位置指定装置の間の設定情報を前記他の表示装置に送信する。
【０２０９】
本発明の実施態様３においては、前記他の表示装置２００〜４００は複数であり、該他の表示装置２００〜４００を所定の順序に対応付けて記憶している記憶部４を備え、前記指示送信部１５は、前記順序に基づいて、前記遷移指示の送信を行うことを特徴とする。
【０２１０】
本発明によれば、算出された使用率に基づいて前記指示送信部が前記遷移指示を送信する際、前記記憶部に記憶されている前記他の表示装置に係る順位に基づいて、前記遷移指示を他の表示装置に送信する。
【０２１１】
本発明の実施態様４においては、前記他の表示装置２００〜４００は複数であり、前記指示送信部１５は、前記他の表示装置２００〜４００の位置に基づく順序に応じて、前記遷移指示の送信を行うことを特徴とする。
【０２１２】
本発明によれば、算出された使用率に基づいて前記指示送信部が前記遷移指示を送信する際、前記他の表示装置の位置に基づく順序に応じて前記遷移指示を他の表示装置に送信する。
【０２１３】
本発明の実施態様５においては、前記他の表示装置２００〜４００は複数であり、前記指示送信部１５は、前記他の表示装置２００〜４００に対して共に前記遷移指示の送信を行うことを特徴とする。
【０２１４】
本発明によれば、算出された使用率に基づいて前記指示送信部が前記遷移指示を送信する際、例えば、所定の順序がなく、他の表示装置夫々の位置が特定できないような場合は、前記他の表示装置に対して共に前記遷移指示の送信を行う。
【０２１５】
本発明の実施態様６においては、前記指示送信部１５による前記遷移指示の送信後、前記他の表示装置２００〜４００の表示面１０１及び前記位置指定装置５００間の距離に応じて、前記設定情報送信部１７は前記設定情報の送信を行うことを特徴とする。
【０２１６】
本発明によれば、前記指示送信部による前記遷移指示の送信後、前記位置指定装置が前記他の表示装置の何れかに接近することにより、斯かる表示装置の表示面及び前記位置指定装置間の距離が所定距離以下になった場合、前記設定情報送信部は前記設定情報を斯かる表示装置に送信する。
【０２１７】
本発明の実施態様７においては、前記指示送信部１５による前記遷移指示の送信後、前記一の表示装置１００の表示面１０１及び前記位置指定装置５００間の距離に応じて、前記設定情報送信部１７は前記設定情報の送信を行うことを特徴とする。
【０２１８】
本発明によれば、前記指示送信部による前記遷移指示の送信後、前記位置指定装置が前記一の表示装置から離れて前記他の表示装置の何れかに接近することにより、前記一の表示装置の表示面及び前記位置指定装置間の距離が所定距離以上になった場合、前記設定情報送信部は前記設定情報を斯かる表示装置に送信する。
【０２１９】
本発明の実施態様８においては、前記表示面１０１上の位置はＸ軸の座標及びＹ軸の座標により定められ、前記使用率算出部１４は、前記Ｘ軸及び前記Ｙ軸夫々における、前記表示面１０１上の余白に基づいて、前記使用率を算出することを特徴とする。
【０２２０】
本発明によれば、前記使用率算出部は前記使用率を算出する際、前記Ｘ軸及び前記Ｙ軸夫々における、前記表示面上の余白に基づいて、前記使用率を算出する。
【０２２１】
本発明の実施態様９においては、前記表示面１０１上の位置はＸ軸の座標及びＹ軸の座標により定められ、前記使用率算出部１４は、前記Ｘ軸及び前記Ｙ軸における座標が前記オブジェクトに係る座標と重複するか否かに基づいて前記使用率を算出することを特徴とする。
【０２２２】
本発明によれば、前記使用率算出部は前記使用率を算出する際、前記Ｘ軸及び前記Ｙ軸における座標が前記オブジェクトに係る座標と重複するか否かに基づいて前記使用率を算出する。
【０２２３】
本発明の実施態様１０においては、前記他の表示装置２００〜４００は、前記位置指定待機状態では画像表示を行わないように構成されていることを特徴とする。
【０２２４】
本発明によれば、前記遷移指示を受け付けて何れかの他の表示装置が前記位置指定待機状態に遷移された場合、斯かる他の表示装置は該位置指定待機状態では画像表示を行わず、消費電力を抑える。
【０２２５】
本発明の実施態様１１においては、描画による画像を含むオブジェクトが表示される表示面１０１を備える複数の表示装置と、該表示面１０１上に前記描画に係る位置指定を行う位置指定装置５００とを含む表示システム１０における、一の表示装置１００を構成するコンピュータに実行させるコンピュータプログラムにおいて、コンピュータに、前記表示面１０１に対する前記オブジェクト表示の割合を示す使用率を算出し、算出された使用率に基づいて、特定の待機状態に遷移する遷移指示を他の表示装置２００〜４００に送信する処理を実行させることを特徴とする。
【０２２６】
本発明によれば、一の表示装置は、前記表示面に対する前記オブジェクト表示の割合を示す使用率を算出し、算出された使用率に基づいて、特定の待機状態に遷移する遷移指示を他の表示装置に送信する。
【０２２７】
本発明の実施態様１２においては、記録媒体Ａが前述の発明のコンピュータプログラムを記録してあることを特徴とする。
【０２２８】
本発明によれば、前記記録媒体に前述のコンピュータプログラムを記録する。コンピュータが前記記録媒体からコンピュータプログラムを読み出して、前述の表示システムがコンピュータにより実現される。
【符号の説明】
【０２２９】
１  制御部
４  記憶部
１０  表示システム
１１  ＣＰＵ
１４  使用率算出部
１５  指示送信部
１６  状態遷移部
１７  設定情報送信部
１００  電子黒板装置
１０１  表示面
２００、３００、４００  電子黒板装置
Ａ  可搬型記録媒体
【図１】
0006400514.tif 000002
【図２】
0006400514.tif 000003
【図３】
0006400514.tif 000004
【図４】
0006400514.tif 000005
【図５】
0006400514.tif 000006
【図６】
0006400514.tif 000007
【図７】
0006400514.tif 000008
【図８】
0006400514.tif 000009
【図９】
0006400514.tif 000010
【図１０】
0006400514.tif 000011
【図１１】
0006400514.tif 000012
【図１２】
0006400514.tif 000013
【図１３】
0006400514.tif 000014
【図１４】
0006400514.tif 000015
【図１５】
0006400514.tif 000016
【図１６】
0006400514.tif 000017
【図１７】
0006400514.tif 000018
【図１８】
0006400514.tif 000019
【図１９】
0006400514.tif 000020